(57)【要約】【課題】簡素な構成で、複数の周波数で給電部を共通で使用可能な多周波共用アンテナを提供する。【解決手段】多周波共用アンテナは、板と、第１導体と、第２導体と、電流経路切換部と、給電部と、を備える。前記板は、誘電体から構成される。前記第１導体は、前記板の厚み方向の一側の面に配置される。前記第２導体は、前記板の厚み方向の他側の面に配置され、外周に切欠部を有する。前記電流経路切換部は、前記切欠部を跨ぐように前記第２導体同士を接続し、電波の周波数に応じて電流の通過と阻止を切換可能である。前記給電部は、前記第２導体と給電線とを電気的に結合する。【選択図】図１
2019041240.tif 000002
【特許請求の範囲】
【請求項１】
誘電体から構成された板と、
前記板の厚み方向の一側の面に配置された第１導体と、
前記板の厚み方向の他側の面に配置され、外周に切欠部を有する第２導体と、
前記切欠部を跨いで前記第２導体同士を接続し、電波の周波数に応じて電流の通過と阻止を切換可能な電流経路切換部と、
前記第２導体と給電線とを電気的に結合する給電部と、
を備えることを特徴とする多周波共用アンテナ。
【請求項２】
請求項１に記載の多周波共用アンテナであって、
前記第２導体は、向かい合う２つの辺を有する形状に形成され、
前記切欠部は、前記辺のそれぞれに形成されていることを特徴とする多周波共用アンテナ。
【請求項３】
請求項１又は２に記載の多周波共用アンテナであって、
前記第２導体は、多角形に形成され、
前記切欠部は、前記第２導体の多角形が有する辺の中央部に設けられ、
前記切欠部は、
前記辺に接続する第１部分と、
前記第１部分が前記辺と接続する側と反対側で前記第１部分に接続する第２部分と、
を有し、
前記第２部分は前記第１部分より幅が広く形成され、
前記電流経路切換部は、前記第２導体のうち前記第１部分を挟んで配置される導体部分同士を接続することを特徴とする多周波共用アンテナ。
【請求項４】
請求項１から３までの何れか一項に記載の多周波共用アンテナであって、
前記電流経路切換部は、周波数によってインピーダンスが変化する回路から構成されることを特徴とする多周波共用アンテナ。
【請求項５】
請求項４に記載の多周波共用アンテナであって、
前記電流経路切換部は、ＬＣ直列回路、ＬＣ並列回路、コンデンサ、インダクタのうち何れか１つから構成されることを特徴とする多周波共用アンテナ。
【請求項６】
請求項１から５までの何れか一項に記載の多周波共用アンテナであって、
ＧＮＳＳに用いられることを特徴とする多周波共用アンテナ。
【請求項７】
誘電体板の厚み方向の一側の面に第１導体を備え、厚み方向の他側の面に、外周に切欠部を有する第２導体を備え、前記切欠部を跨いで前記第２導体同士を接続する電流経路切換部が設けられ、前記第２導体と給電線とを電気的に結合する給電部が設けられたアンテナにおいて、第１周波数の信号に対しては、前記電流経路切換部が電流を通過させ、
前記第１周波数よりも低い周波数である第２周波数の信号に対しては、前記電流経路切換部が電流の通過を阻止することを特徴とするアンテナの複数周波数帯での使用方法。
【発明の詳細な説明】
【技術分野】
【０００１】
本発明は、主として、異なる周波数において送信及び受信のうち少なくとも一方が可能な多周波共用アンテナに関する。
【背景技術】
【０００２】
近年、例えば、ＧＮＳＳ（Ｇｌｏｂａｌ  Ｎａｖｉｇａｔｉｏｎ  Ｓａｔｅｌｌｉｔｅ  Ｓｙｓｔｅｍ）の一種であるＧＰＳでは、測位精度を高めるために、従来のＬ１帯及びＬ２帯に加えて、Ｌ５帯と呼ばれる新しい周波数帯域の信号が利用されつつある。また、ロシアのＧＬＯＮＡＳＳ等、ＧＰＳで用いられない周波数帯の信号を用いるＧＮＳＳについて本格的な利用が開始されており、複数のＧＮＳＳを利用することで利用可能な衛星を増加させるマルチＧＮＳＳの導入が進められている。
【０００３】
このように電波の利用周波数帯が多様化及び複雑化するのに伴い、複数の周波数に対応できる多周波共用アンテナが提案されている。特許文献１及び２は、この種の多周波数共用アンテナを開示する。
【０００４】
特許文献１の多周波数共用アンテナは、地板の上方に、互いに間隔をおいて異なる周波数用の複数のパッチアンテナを積み重ねるように配置する構成となっている。
【０００５】
特許文献２の多周波共用アンテナは、１つの誘電体基板の上部平面に高周波用パッチと低周波用パッチとが形成され、それぞれのパッチに専用の給電点を設ける構成となっている。
【先行技術文献】
【特許文献】
【０００６】
【特許文献１】特開２００３−３０９４２４号公報
【特許文献２】特許第４１６３０５９号公報
【発明の概要】
【発明が解決しようとする課題】
【０００７】
しかし、上記特許文献１の構成は、アンテナを複数積み重ねるため、小型化、構造の簡素化及び製造工数の低減が難しく、この点で改善の余地があった。
【０００８】
また、上記の特許文献２の構成では、高周波用パッチ及び低周波用パッチのそれぞれが専用の給電点により給電される。従って、特許文献２の多周波共用アンテナに対して１つの受信系を用いる場合、異なる給電点からの信号を合成して受信系に出力するための信号合成回路を別途設ける必要があって、結果的に、受信のための構造が複雑になってしまう。
【０００９】
本発明は以上の事情に鑑みてされたものであり、その目的は、簡素な構成で、複数の周波数で給電部を共通で使用可能な多周波共用アンテナを提供することにある。
【課題を解決するための手段及び効果】
【００１０】
本発明の解決しようとする課題は以上の如くであり、次にこの課題を解決するための手段とその効果を説明する。
【００１１】
本発明の第１の観点によれば、以下の構成の多周波共用アンテナが提供される。即ち、この多周波共用アンテナは、板と、第１導体と、第２導体と、電流経路切換部と、給電部と、を備える。前記板は、誘電体から構成される。前記第１導体は、前記板の厚み方向の一側の面に配置される。前記第２導体は、前記板の厚み方向の他側の面に配置され、外周に切欠部を有する。前記電流経路切換部は、前記切欠部を跨いで前記第２導体同士を接続し、電波の周波数に応じて電流の通過と阻止を切換可能である。前記給電部は、前記第２導体と給電線とを電気的に結合する。
【００１２】
これにより、簡素な構成で、誘電体板に配置された第２導体において、電流経路切換部を通過する電流経路と、当該電流経路切換部を通過せずに切欠部を迂回する電流経路と、を形成することができる。即ち、電流経路切換部を電流が通過する状態と、通過しない状態と、を周波数に応じて切り換えることにより、異なる周波数の電波に対応することができる。また、複数の周波数について給電部を共用できるので、アンテナの簡素な構成を実現することができる。
【００１３】
前記の多周波共用アンテナにおいては、以下の構成とすることが好ましい。即ち、前記第２導体は、向かい合う２つの辺を有する形状に形成される。前記切欠部は、前記辺のそれぞれに形成されている。
【００１４】
これにより、簡素な構成で、円偏波又は直線偏波のためのアンテナを実現することができる。
【００１５】
前記の多周波共用アンテナにおいては、以下の構成とすることが好ましい。即ち、前記第２導体は、多角形に形成される。前記切欠部は、前記第２導体の多角形が有する辺の中央部に設けられる。前記切欠部は、第１部分と、第２部分と、を有する。前記第１部分は、前記辺に接続する。前記第２部分は、前記第１部分が前記辺と接続する側と反対側で前記第１部分に接続する。前記第２部分は前記第１部分より幅が広く形成される。前記電流経路切換部は、前記第２導体のうち前記第１部分を挟んで配置される導体部分同士を接続する。
【００１６】
これにより、複数の電流経路を切り換える構成を、第１部分と電流経路切換部との組み合わせによってコンパクトに実現することができる。また、幅が広い第２部分によって、切欠部を迂回する電流経路の長さを大きく確保することが可能になり、設計の自由度を高めることができる。
【００１７】
前記の多周波共用アンテナにおいては、前記電流経路切換部は、周波数によってインピーダンスが変化する回路から構成されることが好ましい。
【００１８】
これにより、周波数に応じてインピーダンスが変化することを利用して、電流の通過／阻止を切り換えることができる。
【００１９】
前記の多周波共用アンテナにおいては、前記電流経路切換部は、ＬＣ直列回路、ＬＣ並列回路、コンデンサ、インダクタのうち何れか１つから構成されることが好ましい。
【００２０】
これにより、周波数に応じて電流の通過／阻止を切り換える簡素な構成を実現することができる。
【００２１】
前記の多周波共用アンテナは、ＧＮＳＳに用いられることが好ましい。
【００２２】
即ち、コンパクトな構成で多周波での動作を実現できる本発明の多周波共用アンテナは、ＧＮＳＳ（マルチＧＮＳＳを含む。）において複数の周波数の電波を受信して測位する場合に特に好適である。
【００２３】
本発明の第２の観点によれば、以下のようなアンテナの複数周波数帯での使用方法が提供される。即ち、誘電体板の厚み方向の一側の面に第１導体を備え、厚み方向の他側の面に、外周に切欠部を有する第２導体を備え、前記切欠部を跨いで前記第２導体同士を接続する電流経路切換部が設けられ、前記第２導体と給電線とを電気的に結合する給電部が設けられたアンテナにおいて、第１周波数の信号に対しては、前記電流経路切換部が電流を通過させる。前記第１周波数よりも低い周波数である第２周波数の信号に対しては、前記電流経路切換部が電流の通過を阻止する。
【００２４】
これにより、簡素な構成で、誘電体板に配置された第２導体において、電流経路切換部を通過する電流経路と、当該電流経路切換部を通過せずに切欠部を迂回する電流経路と、を構成することができる。即ち、電流経路切換部を電流が通過する状態と、通過しない状態と、を周波数に応じて切り換えることにより、異なる周波数の電波に対応することができる。また、複数の周波数について給電部を共用できるので、アンテナの簡素な構成を実現することができる。
【図面の簡単な説明】
【００２５】
【図１】本発明の一実施形態に係る多周波共用アンテナの構成を示す図。
【図２】パッチ導体における電流の経路が切り換わる様子を拡大して示す斜視図。
【図３】多周波共用アンテナのリターンロスのシミュレーション結果を示すグラフ。
【図４】多周波共用アンテナの指向特性のシミュレーション結果を示すグラフ。
【図５】変形例の多周波共用アンテナを示す斜視図。
【発明を実施するための形態】
【００２６】
次に、図面を参照して本発明の実施の形態を説明する。図１は、本発明の一実施形態に係る多周波共用アンテナ１の構成を示す図である。
【００２７】
図１に示す多周波共用アンテナ１は、ＧＮＳＳ等の多周波受信システムに用いられる。この多周波共用アンテナ１は、誘電体板（板）２と、接地導体（第１導体）３と、パッチ導体（第２導体）４と、電流経路切換部５と、給電部６と、を備える。
【００２８】
多周波共用アンテナ１はパッチアンテナであり、誘電体板２、接地導体３及びパッチ導体４は、例えばプリント基板から構成することができる。これにより、安価な多周波共用アンテナ１を提供することができる。
【００２９】
誘電体板２は、例えば、誘電性が優れたセラミック、ガラスエポキシ等の材料を用いて、正方形の板状に形成されている。誘電体板２には、正方形が有する４つの辺のそれぞれの２等分点に対応する位置に、当該誘電体板２を図略のネジにより固定するための貫通孔２１が形成されている。それぞれの貫通孔２１は、誘電体板２の正方形の辺から内側に少し離れて配置されている。
【００３０】
接地導体３は、金属製の薄板乃至薄膜から構成され、誘電体板２の厚み方向の一側の面に配置されている。接地導体３は、誘電体板２とほぼ同じ大きさの正方形に形成されている。
【００３１】
パッチ導体４は、金属製の薄板乃至薄膜から構成されている。パッチ導体４は、誘電体板２の厚み方向で、パッチ導体４が形成された側と反対側の面に配置されている。パッチ導体４は、図１に示すように、多角形、もっと言えば、矩形の一種である正方形に形成されている。パッチ導体４の正方形は、誘電体板２の正方形より若干小さくなっている。パッチ導体４の正方形が有する４つの辺のそれぞれの途中部には、外側が開放された切欠部４０が形成されている。
【００３２】
切欠部４０は、パッチ導体４の正方形が有する４つの辺のそれぞれの２等分点に配置され、内側に向かって凹むようにパッチ導体４の一部を切り取って形成されている。それぞれの切欠部４０は、スリット部（第１部分）７と、拡大部（第２部分）８と、から構成される。
【００３３】
スリット部７は、一定の幅を有する直線状に細長いスリットとして形成されている。スリット部７の長手方向一側の端部は、パッチ導体４の辺の中央部に垂直に接続されている。
【００３４】
拡大部８は、円形に形成されており、スリット部７よりもパッチ導体４の中央に近い側に配置されている。拡大部８は、スリット部７より幅が広く形成されている。スリット部７がパッチ導体４の縁部に接続する側と反対側の端部が、拡大部８に接続されている。
【００３５】
拡大部８は、その中心が貫通孔２１の中心と一致するように配置され、貫通孔２１に差し込まれた図略の固定用ビスの頭部より大きく形成されている。これにより、誘電体板２が固定されている状態において、固定用ビスの頭とパッチ導体４との接触を回避できる。そして、拡大部８の部分に貫通孔２１が配置されることで、パッチ導体４の面積を広く確保しつつ誘電体板２を他の部材に固定することができる。
【００３６】
電流経路切換部５は、切欠部４０に対応して配置されており、電波の周波数に応じて、当該電流経路切換部５における電流の通過又は阻止を切り換えることができる。本実施形態において、電流経路切換部５は、パッチ導体４のうち切欠部４０を挟んで配置される導体部分同士の間に挿入されるコンデンサ（素子）から構成されている。このコンデンサは表面実装タイプの小さなチップ状に構成されており、パッチ導体４の正方形の辺の近傍で、切欠部４０のスリット部７を跨ぐように配置されている。４つの電流経路切換部５において、コンデンサは同一のものが用いられている。コンデンサのそれぞれの電極は、パッチ導体４のうちスリット部７を挟んで配置される導体部分のそれぞれに、ハンダ付け等の適宜の方法で電気的に接続されている。
【００３７】
このコンデンサは、共振回路の一種であるということができる。即ち、コンデンサは寄生的なインダクタンス成分を有しており、自己共振周波数では当該コンデンサのインピーダンスが最小になるが、自己共振周波数と大きく異なる周波数においては、大きなインピーダンスを示す。このように、電流経路切換部５は、コンデンサの自己共振特性を利用することにより、周波数に応じて電流の通過と阻止とを切り換えることができる。なお、コンデンサの代わりに、インダクタを用いることもできる。
【００３８】
言い換えれば、この電流経路切換部５は、周波数に応じて、切欠部４０をスキップしてパッチ導体４の外周を（正方形に沿って）流れる電流経路と、切欠部４０を迂回しながらパッチ導体４の外周を流れる電流経路と、を切り換えることができる。即ち、パッチ導体４の外周の経路の実質的な長さが段階的に変更される。
【００３９】
電流経路切換部５として、コンデンサ又はインダクタを単独で用いる回路に代えて、ＬＣ直列回路又はＬＣ並列回路を用いても良い。この場合、ＬＣ直列回路又はＬＣ並列回路の共振特性を利用することで、周波数に応じた電流の通過と阻止の切換を実現することができる。
【００４０】
給電部６は、パッチ導体４に設けられた２つの給電点６ａ，６ｂから構成される。それぞれの給電点６ａ，６ｂにおいて、図示しない給電線が、例えばハンダ付け等の適宜の方法によってパッチ導体４と電気的に結合される。給電部６は、パッチ導体４と給電線との電気的な結合部であるということができる。
【００４１】
給電点６ａと給電点６ｂとは、パッチ導体４の中心から見た位相が互いに９０°異なっており、かつ、前記中心から互いに等しい距離だけ離れた位置に設けられている。本実施形態の多周波共用アンテナ１は、上記の構成の給電部６を用いて、いわゆる２点給電方式で円偏波の受信を行う。
【００４２】
続いて、本実施形態の多周波共用アンテナ１のパッチ導体４において形成される複数の電流経路について、図２を参照して詳細に説明する。図２は、パッチ導体４における電流の経路が切り換わる様子を拡大して示す斜視図である。
【００４３】
本実施形態の多周波共用アンテナ１においては、パッチ導体４に設けられた切欠部４０と電流経路切換部５との組合せを用いて、パッチ導体４において複数（具体的には、２つ）の電流経路を形成することができる。１つは、図２（ａ）に示すように、電流経路切換部５を通過する電流経路Ａである。もう１つは、図２（ｂ）に示すように、電流経路切換部５を通過せずに切欠部４０を迂回する電流経路Ｂである。２つの電流経路Ａ，Ｂの長さは、互いに異なっている。
【００４４】
知られているように、パッチアンテナが動作する周波数帯は、パッチ導体の外周を流れる電流の経路の長さに依存している。この点、本実施形態の多周波共用アンテナ１は異なる長さの電流経路を有しているので、それぞれに対応する周波数帯で動作することができる。電流経路Ａは電流経路Ｂより短く形成されているので、電流経路Ａに対応する周波数は、電流経路Ｂに対応する周波数より高くなる。以下の説明では、電流経路Ａに対応する周波数を第１周波数と呼び、電流経路Ｂに対応する周波数を第２周波数と呼ぶことがある。
【００４５】
本実施形態では、電流経路切換部５におけるコンデンサとして、短い側の電流経路Ａに対応する周波数とほぼ一致する自己共振周波数（以下、ｆａとする）を有するものが用いられている。従って、自己共振周波数ｆａに相当する帯域では、４つの電流経路切換部５のそれぞれにおいてコンデンサのインピーダンスが小さくなるため、図２（ａ）に示すように、電流は切欠部４０を迂回せずに電流経路切換部５を通過する。従って、電流経路Ａと周波数ｆａとが対応することになる。一方、自己共振周波数よりもある程度低い所定の周波数（以下、ｆｂとする）の帯域では、４つの電流経路切換部５のそれぞれにおいてコンデンサのインピーダンスが大きくなるため、図２（ｂ）に示すように、電流は切欠部４０を迂回する。従って、周波数ｆｂを電流経路Ｂの長さに相当する周波数とすることで、当該周波数ｆｂにおいてもアンテナを良好に動作させることができる。このように、電流経路を周波数帯毎に変化させることで、マルチバンド化を実現することができる。
【００４６】
この多周波共用アンテナ１は、上記の２つの周波数帯域のうち何れの電波を受信した場合でも、共通の給電部６から、給電線を介してＧＮＳＳ受信機に電力を伝送することができる。従って、構成の簡素化が実現されている。
【００４７】
また、切欠部４０が、幅が狭いスリット部７と、幅が広い拡大部８と、の組合せにより構成されており、電流経路切換部５がスリット部７の部分に配置されている。従って、電流経路を切り換える構成をコンパクトなスペースに配置できる。また、拡大部８によって、切欠部４０を迂回する電流経路Ｂの長さを必要に応じて大きく確保することができるので、設計の自由度を高めることができる。
【００４８】
なお、本願発明者は、本実施形態の多周波共用アンテナ１のリターンロス特性をシミュレーション計算により求めた。切欠部４０を含めたパッチ導体４の形状、及び、上記コンデンサの特性を適宜設定することにより、図３に示すように、１．１５ＧＨｚ及び１．５６ＧＨｚの２つの周波数においてピークが現れるリターンロス特性を得ることができた。以上により、本実施形態の多周波共用アンテナ１は、２つの異なる周波数帯で動作可能であること、特に、パッチ導体４の形状等を更に調整することで、ＧＰＳのＬ５帯（１．１７６４５ＧＨｚ）及びＬ１帯（１．５７５４２ＧＨｚ）に対応可能であることが確かめられた。
【００４９】
また、本願発明者が指向特性についてシミュレーション計算を併せて行ったところ、図４に示す結果が得られた。図４の２つのグラフの何れにおいても、０°は、パッチ導体４を上向きに設置した場合の天頂方向を意味し、９０°（−９０°）は水平方向を意味する。図４に示すように、本実施形態の多周波共用アンテナ１は、上記の２つの周波数の何れについても、例えばＧＰＳで用いられる右旋円偏波に対して、ほぼ半球状の良好な指向特性を有することが確認できた。
【００５０】
以上に説明したように、本実施形態の多周波共用アンテナ１は、誘電体から構成された誘電体板２と、接地導体３と、パッチ導体４と、電流経路切換部５と、給電部６と、を備える。接地導体３は、誘電体板２の厚み方向の一側の面に配置されている。パッチ導体４は、誘電体板２の厚み方向の他側の面に配置され、外周に切欠部４０を有する。電流経路切換部５は、切欠部４０において、当該切欠部４０を跨いでパッチ導体４の外周を接続し、電波の周波数に応じて電流の通過と阻止を切換可能である。給電部６は、パッチ導体４と電気的に結合される。
【００５１】
また、本実施形態では、以下の方法により、多周波共用アンテナ１が複数周波数帯で使用されている。即ち、誘電体板２の厚み方向の一側の面に接地導体３を備え、厚み方向の他側の面に、外周に切欠部４０を有するパッチ導体４を備え、切欠部４０を跨いでパッチ導体４を接続する電流経路切換部５が設けられ、パッチ導体４と給電線とを電気的に結合する給電部６が設けられた多周波共用アンテナ１において、第１周波数の信号に対しては、電流経路切換部５が電流を通過させる。第１周波数よりも低い周波数である第２周波数の信号に対しては、電流経路切換部５が電流の通過を阻止する。
【００５２】
これにより、簡素な構成で、誘電体板２に配置されたパッチ導体４において、電流経路切換部５を通過する電流経路Ａと、当該電流経路切換部５を通過せずに切欠部４０を迂回する電流経路Ｂと、を形成することができる。即ち、電流経路切換部５を通過する状態と、通過しない状態と、を周波数に応じて切り換えることにより、異なる周波数の電波に対応することができる。また、複数の周波数について給電部６を共用できるので、多周波共用アンテナ１の簡素な構成を実現することができる。
【００５３】
次に、上記実施形態の変形例を説明する。図５は、変形例の多周波共用アンテナ１ｘを示す斜視図である。なお、本変形例の説明においては、前述の実施形態と同一又は類似の部材には図面に同一の符号を付し、説明を省略する場合がある。
【００５４】
図５に示すように、本実施形態の多周波共用アンテナ１ｘにおいて、パッチ導体４ｘに形成される４つの切欠部４０ｘのそれぞれは、複数（２つ）のスリット部７と、複数（２つ）の拡大部８と、が交互に直線状に並べられた構成となっている。
【００５５】
１つの切欠部４０ｘにおいて、２つのスリット部７をそれぞれ跨ぐように、２つの電流経路切換部５が配置されている。２つの電流経路切換部５は例えばコンデンサとして構成され、パッチ導体４ｘの外周に近い側の電流経路切換部５と遠い側の電流経路切換部５とで、自己共振周波数は互いに異なっている。
【００５６】
この構成では、切欠部４０ｘを全く迂回せずに外周側の電流経路切換部５を通過する経路と、切欠部４０ｘを途中まで迂回して内周側の電流経路切換部５を通過する経路と、切欠部４０ｘの全体を迂回する経路と、の３種類の電流経路を形成することができる。この結果、多周波共用アンテナ１ｘは、３つの異なる周波数に対して動作することが可能になる。
【００５７】
以上に本発明の好適な実施の形態及び変形例を説明したが、上記の構成は例えば以下のように変更することができる。
【００５８】
貫通孔２１は、切欠部４０を構成する拡大部の位置に重ねて設けることに限らず、異なる位置に配置することもできる。例えば、貫通孔を誘電体板２の４つの角部に設けることが考えられる。また、貫通孔２１を省略し、ビス固定の代わりにハンダ付けにより固定したりすることができる。
【００５９】
例えば図１の構成で、２点給電方式の代わりに、給電部６が１つの給電点から構成される１点給電方式とすることもできる。なお、１点給電方式の例は図５の変形例に示されている。
【００６０】
給電点６ａ，６ｂにおいては、パッチ導体４と給電線とをハンダ付け等によって結合する代わりに、例えば容量結合によって電気的に結合することもできる。
【００６１】
パッチ導体４を、正方形以外の形状（例えば、円形、長方形等）に形成することもできる。
【００６２】
拡大部８を、円形以外の形状（例えば、矩形等）に形成することもできる。また、拡大部８を省略して、切欠部４０をスリット部７だけから構成することもできる。
【００６３】
電流経路切換部５を、電装部品（素子）を用いた回路に代えて、コンデンサ及びインダクタのうち少なくとも何れかとして実質的に動作する導体パターンを形成することで構成しても良い。この場合、電流経路切換部５の回路をパッチ導体４と一体的に形成することができる。また、電流経路切換部５をスイッチ回路から構成し、周波数に応じて短絡／開放を切り換えるように構成しても良い。
【００６４】
パッチ導体４のそれぞれの辺について、複数の切欠部４０及び電流経路切換部５を辺の長手方向に並べるように構成することで、３つ以上の異なる周波数に対して動作可能に構成することもできる。
【００６５】
上記の実施形態及び変形例では、切欠部４０，４０ｘは、パッチ導体４の正方形において互いに向かい合う２組の辺の両方（言い換えれば、４つの辺すべて）に設けられている。しかしながら、これに代えて、向かい合う１組の辺だけに切欠部４０，４０ｘが設けられても良い。この場合、アンテナは、円偏波ではなく、直線偏波用のアンテナとして動作する。
【００６６】
多周波共用アンテナ１は、受信の代わりに送信に用いられても良いし、送受信兼用のアンテナとして用いられても良い。多周波共用アンテナ１が送信アンテナとして動作する場合、給電線は、送信機からアンテナに電力を伝送する。多周波共用アンテナ１が受信アンテナとして動作する場合、給電線は、アンテナから受信機に電力を伝送する。
【００６７】
多周波共用アンテナ１は、複数のＧＮＳＳ（例えば、ＧＰＳとＧＬＯＮＡＳＳ）の電波を同時に受信するマルチＧＮＳＳに用いられても良い。一方、多周波共用アンテナ１は、ＧＮＳＳ以外の用途に用いられても良い。
【符号の説明】
【００６８】
１  多周波共用アンテナ
２  誘電体板
３  接地導体（第１導体）
４  パッチ導体（第２導体）
５  電流経路切換部
６  給電部
４０  切欠部
【図１】
2019041240.tif 000003
【図２】
2019041240.tif 000004
【図３】
2019041240.tif 000005
【図４】
2019041240.tif 000006
【図５】
2019041240.tif 000007